(57)【特許請求の範囲】
【請求項１】
左右一対の支柱の上部分に夫々固定される左右の連結部材の基部相互が、該一対の支柱が開閉可能となるように連結されており、該左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項２】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を着脱可能に保持する保持部材が前記基部に設けられており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項３】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放した保持溝を有するＣ字状保持部を具え、該保持溝に着脱可能に収容された該被保持部が該Ｃ字状保持部に弾性挾持状態で保持されるようになされており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項４】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放すると共に上端開放部が窄まったＣ字状の保持溝が設けられたＣ字状保持部を具え、該保持溝に前記被保持部が着脱可能に収容された状態で該保持溝の左右部分をなす左右の保持片が該被保持部を左右から弾性的に挾持し、該挾持された状態にある該被保持部は、窄まった状態にある前記上端開放部に規制されて該上端開放部から脱落しないようになされ、且つ、前記両連結部材の上端に、前後方向で互いに重なり合う連結突片が突設され、且つ、前記Ｃ字状保持部の前後方向の両側で挾持突片が下設されると共に、該両挾持突片が、重なり状態にある前記両連結突片を外側から挾み、該両挾持突片と該両連結突片の全体が、軸線が前後方向の枢軸で連結されており、該枢軸を介して前記一対の支柱が開閉可能に連結されており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項５】
左右一対の支柱の上部分に夫々固定される左右の連結部材の基部相互が、該一対の支柱が開閉可能となるように連結されており、該左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記上の保持片と前記下方突出支持片の上側部分とで、前記上部分の、前記一方の縁部側の部分を弾性的に挾持し得る断面Ｃ字状の筒状挾持部が形成され、該筒状挾持部は、前記他方の縁部が存する側の周面部が該筒状挾持部の軸線方向に開口し且つ開口部が弾性的に拡開し得る筒状を呈しており、且つ、前記下の保持片は、前記上部分の、前記他方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の下側部分が前記下の保持片に支持された状態となって、該上部分の上側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項６】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を着脱可能に保持する保持部材が、前記基部に設けられており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記上の保持片と前記下方突出支持片の上側部分とで、前記上部分の、前記一方の縁部側の部分を弾性的に挾持し得る断面Ｃ字状の筒状挾持部が形成され、該筒状挾持部は、前記他方の縁部が存する側の周面部が該筒状挾持部の軸線方向に開口し且つ開口部が弾性的に拡開し得る筒状を呈しており、且つ、前記下の保持片は、前記上部分の、前記他方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の下側部分が前記下の保持片に支持された状態となって、該上部分の上側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項７】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放した保持溝を有するＣ字状保持部を具え、該保持溝に着脱可能に収容された該被保持部が該Ｃ字状保持部に弾性挾持状態で保持されるようになされており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記上の保持片と前記下方突出支持片の上側部分とで、前記上部分の、前記一方の縁部側の部分を弾性的に挾持し得る断面Ｃ字状の筒状挾持部が形成され、該筒状挾持部は、前記他方の縁部が存する側の周面部が該筒状挾持部の軸線方向に開口し且つ開口部が弾性的に拡開し得る筒状を呈しており、且つ、前記下の保持片は、前記上部分の、前記他方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の下側部分が前記下の保持片に支持された状態となって、該上部分の上側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項８】
左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放すると共に上端開放部が窄まったＣ字状の保持溝が設けられたＣ字状保持部を具え、該保持溝に前記被保持部が着脱可能に収容された状態で該保持溝の左右部分をなす左右の保持片が該被保持部を左右から弾性的に挾持し、該挾持された状態にある該被保持部は、窄まった状態にある前記上端開放部に規制されて該上端開放部から脱落しないようになされ、且つ、前記両連結部材の上端に、前後方向で互いに重なり合う連結突片が突設され、且つ、前記Ｃ字状保持部の前後方向の両側で挾持突片が下設されると共に、該両挾持突片が、重なり状態にある前記両連結突片を外側から挾み、該両挾持突片と該両連結突片の全体が、軸線が前後方向の枢軸で連結されており、該枢軸を介して前記一対の支柱が開閉可能に連結されており、
前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定され、
前記上の保持片と前記下方突出支持片の上側部分とで、前記上部分の、前記一方の縁部側の部分を弾性的に挾持し得る断面Ｃ字状の筒状挾持部が形成され、該筒状挾持部は、前記他方の縁部が存する側の周面部が該筒状挾持部の軸線方向に開口し且つ開口部が弾性的に拡開し得る筒状を呈しており、且つ、前記下の保持片は、前記上部分の、前記他方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の下側部分が前記下の保持片に支持された状態となって、該上部分の上側部分が前記開口部を通して該筒状挾持部内に嵌め入れられる如くなされ、且つ、前記連結部材の前記基部の下面側が、前記支柱の上端に当接し得ることを特徴とする植物栽培用の開閉式支柱構成用の支柱相互の連結具。
【請求項９】
前記基部の夫々の、前記開閉方向で見た外側部位に、前記支柱の上端部分の、前記開閉方向で見た外側部分を支持する受部が設けられていることを特徴とする請求項１〜８の何れかに記載の植物栽培用の開閉式支柱構成用の支柱相互の連結具。
【請求項１０】
植物栽培用のネット材を掛着させるためのフック状掛着片が、前記基部又は前記下方突出支持片に設けられていることを特徴とする請求項１〜８の何れかに記載の植物栽培用の開閉式支柱構成用の支柱相互の連結具。
【請求項１１】
植物栽培用のネット材を掛着させるためのフック状掛着片が、前記受部に設けられていることを特徴とする請求項９記載の植物栽培用の開閉式支柱構成用の支柱相互の連結具。
【発明の詳細な説明】
【技術分野】
【０００１】
本発明は、胡瓜やゴーヤ、豆類、朝顔等の植物の栽培に用いられる支柱枠体を構成する植物栽培用の開閉式支柱構成用の支柱相互の連結具に関するものである。
【背景技術】
【０００２】
本出願人は特許文献１において、胡瓜やゴーヤ、豆類、朝顔等の植物の栽培に用いて好適な支柱枠体ａを構成する植物栽培用の開閉式支柱ｂを提案した。
【０００３】
該開閉式支柱ｂは、図３６〜３８に示すように、左右一対の支柱ｃ，ｃの上部分ｄ，ｄ相互が連結具ｅを介して開閉可能に連結されていた。該連結具ｅは図３６〜３７に示すように、前記上部分ｄ，ｄに夫々固定される連結部材ｆ，ｆ相互が、一対の支柱ｃ，ｃが開閉可能となるように連結されると共に、該支柱ｃ，ｃの開閉方向と直交する前後方向に延長する横連結杆ｇの長さ方向の所要部分としての被保持部ｈを保持する保持部材ｊが、前記連結部材ｆ，ｆの双方に連なる如く、且つ、該一対の連結部材ｆ，ｆの連結部ｋの上側に存するように設けられていた。そして該保持部材ｊは、上側が開放し且つ前後方向の両端が開放した保持溝ｍを有するＣ字状保持部ｎを具え、該保持溝ｍに前記被保持部ｈが着脱可能に収容され、収容された該被保持部ｈが該Ｃ字状保持部ｎに弾性挾持状態で保持されるように構成されていた。そして前記連結部材ｆ，ｆの好ましい態様としては、前記支柱ｃの上部分ｄを密接状態に挿入させ得る、下端開放で且つ上端が閉塞された筒部（例えば円筒部）ｐを具えていた。
【０００４】
このように従来の支柱相互の連結具ｅは、左右の連結部材ｆ，ｆが、下端開放の筒部ｐを具え該筒部ｐの挿入孔部ｑに前記支柱ｃの上部分ｄを密接状態に挿入させる構成を採用していたため、該上部分ｄの外径が該挿入孔部ｑの内径に合致する円形軸状に構成されていなければ、該上部分ｄを該挿入孔部ｑに挿入させることができず、従って、前記開閉式支柱ｂを構成することができなかった。勿論、かかる開閉式支柱を製造するメーカにあっては、組立てに支障のない連結部材と支柱とを設計製作するために何ら問題は生じなかった。しかしながら、家庭菜園を楽しむ人達にとっては、前記連結具ｅを購入しこれに手持ちの支柱を連結して開閉式支柱を組み立てんとする場合に次のような問題点があった。
【０００５】
即ち、例えば図３９（Ａ）に示すように、該支柱ｃの上部分ｄにキャップｓが取り付けられていたり、図３９（Ｂ）に示すように、該支柱ｃの外周面ｔに、その長さ方向に突部ｕを不連続状態に連ねた不連続突部列ｖが設けられていたり、或いは図３９（Ｃ）に示すように、該支柱ｃの外周面ｔにその長さ方向に所要間隔で節部ｗが設けられていて該節部ｗが支柱の上部分ｄにも存する場合等、前記挿入孔部ｑに挿入させるべき上部分ｄが外面平滑の所要径に正しく形成されていない場合は該上部分ｄを該挿入孔部ｑに挿入させることができず、従って、所望の開閉式支柱を構成できない問題があった。そのため結局、前記筒部ｐの挿入孔部ｑに上部分を挿入させることができる所要の支柱を購入しなければならない不経済があったり、所要に組み立てられた開閉式支柱を購入せざるを得ない等、手持ちの支柱を有効活用できない不経済があった。
【先行技術文献】
【特許文献】
【０００６】
【特許文献１】特開２００７−１６６９４９号公報
【発明の概要】
【発明が解決しようとする課題】
【０００７】
本発明は、前記従来の問題点に鑑みて開発されたものであり、手持ちの支柱を有効活用して所望の開閉式支柱を安価に構成できる経済性を有し、又、このように構成した開閉式支柱の使用時期が終わった後は、連結具から支柱を取り外すことによって該支柱を他の目的に有効活用可能とする植物栽培用の開閉式支柱構成用の支柱相互の連結具の提供を課題とするものである。
【課題を解決するための手段】
【０００８】
前記課題を解決するため本発明は以下の手段を採用する。
即ち本発明に係る植物栽培用の開閉式支柱構成用の支柱相互の連結具（以下連結具という）の第１の態様は、左右一対の支柱の上部分に夫々固定される左右の連結部材の基部相互が、該一対の支柱が開閉可能となるように連結されており、該左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定されている。そして、該下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とするものである。
【０００９】
本発明に係る連結具の第２の態様は、左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を着脱可能に保持する保持部材が前記基部に設けられている。前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定されている。そして、前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部が存する側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とするものである。
【００１０】
本発明に係る連結具の第３の態様は、左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放した保持溝を有するＣ字状保持部を具え、該保持溝に着脱可能に収容された該被保持部が該Ｃ字状保持部に弾性挾持状態で保持されるようになされている。前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定されている。そして、前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部が存する側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とするものである。
【００１１】
本発明に係る連結具の第４の態様は、左右一対の支柱の上部分に夫々固定される左右の連結部材の基部相互が、該一対の支柱が開閉可能となるように連結されると共に、該支柱の開閉方向と直交する前後方向に延長する横連結杆の長さ方向の所要部分としての被保持部を保持する保持部材が、前記連結部材の双方に連なる如く、且つ、該一対の連結部材の連結部の上側に存するように設けられてなり、該保持部材は、上側が開放し且つ前後方向の両端が開放すると共に上端開放部が窄まったＣ字状の保持溝が設けられたＣ字状保持部を具え、該保持溝に前記被保持部が着脱可能に収容された状態で該保持溝の左右部分をなす左右の保持片が該被保持部を左右から弾性的に挾持し、該挾持された状態にある該被保持部は、窄まった状態にある前記上端開放部に規制されて該上端開放部から脱落しないようになされ、且つ、前記両連結部材の上端に、前後方向で互いに重なり合う連結突片が突設され、且つ、前記Ｃ字状保持部の前後方向の両側で挾持突片が下設されると共に、該両挾持突片が、重なり状態にある前記両連結突片を外側から挾み、該両挾持突片と該両連結突片の全体が、軸線が前後方向の枢軸で連結されており、該枢軸を介して前記一対の支柱が開閉可能に連結されている。前記左右の連結部材の夫々は、該両連結部材が閉じた状態で見て、前記基部の、前記開閉方向で見た内側部位で下方向（縦方向）に突設されて前記支柱の内側の側部分を支持する下方突出支持片を具え、該下方突出支持片の前後の縁部の何れか一方の縁部に関し、その上側部分に位置させて上の保持片が設けられると共に、他方の縁部に関し、その下側部分に位置させて下の保持片が設けられ、該上下の保持片間に所要間隙が設けられており、該間隙の大きさは、前記上部分を、該間隙に、該上の保持片が設けられている縁部側から該下の保持片が設けられている縁部側に向けて横方向に挿通させ得るように設定されている。そして、前記下の保持片と前記下方突出支持片の下側部分とで、前記上部分の、前記他方の縁部側の部分を弾性的に挾持し得る断面Ｃ字状の筒状挾持部が形成され、該筒状挾持部は、前記一方の縁部が存する側の周面部が該筒状挾持部の軸線方向に開口し且つ開口部が弾性的に拡開し得る筒状を呈しており、且つ、前記上の保持片は、前記上部分の、前記一方の縁部側の部分を支持する如くなされており、且つ、前記上部分を前記上下の保持片間に前記横方向に挿通させて後、前記支柱を、その上端が前記上の保持片側に近づく方向に回動させることにより、該上部分の上側部分が前記上の保持片に支持された状態となって、該上部分の下側部分が前記開口部を通して該筒状挾持部内に嵌め入れられる如くなされ、且つ、前記連結部材の前記基部の下面側が、前記支柱の上端に当接し得ることを特徴とするものである。
【００１２】
前記各態様において、前記とは逆に、前記上の保持片と前記下方突出支持片の上側部分とで、前記上部分の、前記一方の縁部側の部分を弾性的に挾持し得る断面Ｃ字状の筒状挾持部を形成し、前記下の保持片が、前記上部分の、前記他方の縁部側の部分を支持する如く構成することもある。
【００１３】
前記の各態様において、前記基部の夫々の、前記開閉方向で見た外側部位に、前記支柱の上端部分の、前記開閉方向で見た外側部分を支持する受部を設けるのがよい。
【００１４】
又、前記の各態様において、植物栽培用のネット材を掛着させるためのフック状掛着片を、前記基部又は前記下方突出支持片に設けるのがよい。
【００１５】
前記連結具が前記受部を具える場合、植物栽培用のネット材を掛着させるためのフック状掛着片を、前記受部に設けることもできる。
【発明の効果】
【００１６】
本発明に係る連結具によるときは、手持ちの支柱を有効活用して所望の開閉式支柱を安価に構成できる経済性を有する。又、このように構成した開閉式支柱の使用時期が終わった後は、連結具から支柱を取り外すことによって該支柱を他の目的に有効活用できる。
【図面の簡単な説明】
【００１７】
【図１】本発明に係る連結具で連結された開閉式支柱を用いて構成された胡瓜棚を示す斜視図である。
【図２】その部分拡大図である。
【図３】その開閉式支柱の上側部分を示す斜視図である。
【図４】その開閉式支柱の上側部分を示す正面図である。
【図５】支柱を示す斜視図である。
【図６】本発明に係る連結具を示す斜視図である。
【図７】その分解斜視図である。
【図８】支柱連結具の保持部材に横連結杆の被保持部を嵌め入れた状態を示す正面図である。
【図９】上の保持片の構成をその作用と共に示す断面図である。
【図１０】下の保持片の構成をその作用と共に示す断面図である。
【図１１】連結具の枢着構造を示す断面図である。
【図１２】連結具を構成する連結部材に支柱の上部分を連結する要領を説明する説明図である。
【図１３】その斜視図である。
【図１４】連結部材に支柱を連結した状態を、上端キャップが、基部と上の保持片間の間隙に位置した状態で示す正面図である。
【図１５】支柱の上端が基部に当接した状態を示す正面図である。
【図１６】本発明に係る連結具の他の態様のものを用いて構成された開閉式支柱を示す斜視図である。
【図１７】本発明に係る連結具の左右の連結部材の他の連結構造を説明する正面図である。
【図１８】その連結具を用いて構成された開閉式支柱を、開いた状態で示す正面図である。
【図１９】本発明に係る連結具のその他の態様のものを用いて構成された開閉式支柱を示す斜視図である。
【図２０】本発明に係る連結具のその他の態様のものを用いて構成された開閉式支柱を示す正面図である。
【図２１】本発明に係る開閉式支柱を用いて構成された胡瓜棚を示す斜視図である。
【図２２】節部を具える支柱を連結具に取り付けて構成した開閉式支柱を示す斜視図である。
【図２３】連結部材に固定された支柱の上端部分を支持する受部が基部に設けられてなる連結具を用いて構成された開閉式支柱の上側部分を示す正面図と、該連結具の上側部分を示す斜視図である。
【図２４】本発明に係る連結具のその他の態様のものを用いて構成された開閉式支柱を用いてなる胡瓜棚を示す斜視図である。
【図２５】本発明に係る連結具のその他の態様を示す斜視図である。
【図２６】その連結具の枢着構造を示す断面図である。
【図２７】その連結具の分解斜視図である。
【図２８】フック状掛着片を上の保持片に設けた場合の問題点を説明する斜視図である。
【図２９】フック状掛着片を受部に設けた場合を示す斜視図である。
【図３０】フック状掛着片が受部に設けられてなる連結具を用いて構成された開閉式支柱の上端側を示す正面図である。
【図３１】その開閉式支柱を用いて構成された植物栽培棚を示す部分斜視図である。
【図３２】フック状掛着片が下方突出支持片の前後の縁部に設けられてなる連結具を示す斜視図である。
【図３３】その連結具を用いて構成された開閉式支柱を用いてなる植物栽培棚を示す部分斜視図である。
【図３４】フック状掛着片を基部に設けてなる連結具のその他の実施例を示す斜視図である。
【図３５】フック状掛着片を受部に設けてなる連結具のその他の実施例を示す斜視図である。
【図３６】従来の開閉式支柱をその使用状態で示す斜視図である。
【図３７】その上側部分を示す斜視図である。
【図３８】従来の開閉式支柱の上側部分を示す正面図である。
【図３９】従来の開閉式支柱で使用できない支柱の一例を示す斜視図である。
【発明を実施するための形態】
【実施例１】
【００１８】
図１〜４において本発明に係る連結具１は、開閉式支柱２を構成するものであり、左右一対の支柱３，３の上部分４，４に夫々固定される左右の連結部材５，５の基部６，６相互が、該一対の支柱３，３が開閉可能となるように連結されている。そして、該支柱３，３の開閉方向（左右方向）Ｆ１と直交する前後方向Ｆ２に延長する横連結杆７の長さ方向の所要部分としての被保持部９を保持する保持部材１０が、前記連結部材５，５の双方に連なる如く、且つ、該一対の連結部材５，５の連結部１１の上側に存するように設けられている。該保持部材１０は、本実施例においては図４に矢印で示すように、水平な枢軸１２の軸線回りに垂直面内で傾動可能であり、図３〜４、図６〜７に示すように、上側が開放し且つ前後方向の両端１３，１３が開放した保持溝１５を有するＣ字状保持部１６を具える。そして図８に示すように、該保持溝１５に前記被保持部９が着脱可能に収容され、収容された該被保持部９が該Ｃ字状保持部１６に弾性挾持状態で保持されるようになされている。
【００１９】
前記支柱３，３は、本実施例においては図５に示すように、鋼製の直線状丸パイプ本体１７の表面に樹脂被覆が施されてなり、外径が約１６ｍｍで全長が１８０ｃｍ程度に形成されると共に、該樹脂被覆部１９の外周面２０の上下端側の部分２１，２２を除く中間部分２３には、該外周面２０の長さ方向に突部２５を不連続状態に連ねた不連続突部列２６の例えば４列が、該外周面２０の周方向に９０度の角度ピッチで設けられている。該不連続突部列２６は、支柱３に対する蔓の巻き付きを容易化するため等のものである。又、該支柱３の上部分４は、支柱３の上端部分２７に上端キャップ２９が取り付けられて構成されている。該上端キャップ２９は、図５（Ｃ）に示すように、下端開放の挿入孔部２８を有し、上方に向けて稍細くなり、且つ上端部に十字状の溝３０が設けられている。その外径は支柱３の外径よりも大きく、該挿入孔部２８に前記上端部分２７が挿入される。又、該支柱３の下端部分３１には、下方に向けて細くなる円錐状の下端キャップ３２が取り付けられている。なお説明の便宜上、図１、図２〜４、図１２〜１８、図２０、図２３〜２４、図３１、図３３、図３５においては、前記不連続突部列２６の図示を省略している。
【００２０】
次に、前記左右の連結部材５，５と前記保持部材１０の構成をより具体的に説明すると共に、該一対の連結部材５，５の連結構成と、該両連結部材５，５に対する該保持部材１０の傾動可能の連結構成を説明する。
前記左右の連結部材５，５の夫々は、図６〜７、図９〜１０に示すように、該両連結部材５，５が閉じた状態で見て、例えば平板状を呈する前記基部６，６の夫々の、前記開閉方向Ｆ１で見た内側部位３３，３３で下方向（縦方向）に突設されて支柱の内側の側部分（前記開閉方向Ｆ１で見た内側の側部分）３５，３５（図９）を支持する下方突出支持片３６，３６を具えている。そして、該下方突出支持片３６，３６の前後の縁部３７，３９の何れか一方の縁部（例えば前の縁部）３７に関し、その上側部分に位置させて上の保持片４０が設けられると共に、その他方の縁部（後の縁部）３９に関し、その下側部分に位置させて下の保持片４１が設けられ、該上下の保持片４０，４１間に所要の間隙４２が設けられている。該間隙４２の大きさは、図１２に一点鎖線で示すように、前記上部分４を、該間隙４２に、該上の保持片４０が設けられている前の縁部３７側から該下の保持片４１が設けられている後の縁部３９側に向けて横方向に挿通させ得るように設定されている。
【００２１】
そして本実施例においては図１４に示すように、前記基部６と該上の保持片４０との間に、前記上端キャップ２９の上下長さＬよりも若干大なる間隙４３が設けられている。
【００２２】
前記下の保持片４１は、本実施例においては図３、図６〜７、図１０に示すように、断面Ｕ字状を呈しており、該下の保持片４１と前記下方突出支持片３６の下側部分４５とで、前記上部分４の、前記他方の縁部３９側の部分４６を弾性的に挾持し得る断面Ｃ字状の筒状挾持部４７が形成され、該筒状挾持部４７は、前記前の縁部３７が存する側の周面部４９が該筒状挾持部４７の軸線方向に全長に亘って開口し且つ開口部５０が弾性的に拡開し得る筒状を呈している。該開口部５０の下側開口部分５１は略等幅であるが、その上側開口部分５２は、上端に向けて徐々に拡大している。本実施例においては、該筒状挾持部４７の外周面４４の上下に、周方向に補強リブ４８，４８が設けられ、該上下の補強リブ４８，４８間の部分５４が比較的薄肉に形成されているが、これは、該筒状挾持部４７の強度を所要に確保しながら、該開口部５０の弾性拡開を容易化するためである。
【００２３】
そして前記上の保持片４０は、本実施例においては図６〜７、図９に示すように、断面Ｕ字状を呈しており、前記上部分４の、前記一方の縁部３７側の部分５３を支持する如くなされている。本実施例においては図２〜４に示すように、前記Ｕ字状に屈曲する上の保持片４０の先端側の外面５５に、後述するネット材５６の上端縁部５７（図２）を掛着させるフック状掛着片５９が設けられている。
【００２４】
又、前記左右の連結部材５ａ，５ｂの夫々は、本実施例においては、ポリエチレン等の合成樹脂を以て一体に形成されており、図６〜７、図１１に示すように、前記基部６，６の上面側６０，６０には、前後方向で互いに重なり合う、例えば三角形板状を呈する連結突片６１，６２が突設されている。図７において、左の連結部材５ａの連結突片６１は、前記基部６の上面側６０の、前記前後方向Ｆ２で見た後側寄り部位で突設されており、右の連結部材５ｂの連結突片６２は、前記基部６の上面側６０の、前記前後方向Ｆ２で見た前側寄り部位で突設されている。そして両連結突片６１，６２は、前後方向Ｆ２で重なる円板状の連結板部６３，６３が設けられている。該連結板部６３，６３には、前後方向に貫通する枢着孔６５，６５が設けられており、図１１に示すように、両枢着孔６５，６５を連通させるように両連結板部６３，６３が前後方向で重なるようになされている。
【００２５】
前記保持部材１０は、本実施例においては、例えばポリエチレン等の合成樹脂を以て一体に形成されており、図４、図６〜８、図１１に示すように、上側が開放し且つ前後方向の両端１３，１３が開放すると共に上端開放部７０が窄まったＣ字状の前記保持溝１５が設けられた前記Ｃ字状保持部１６を具えている。該Ｃ字状保持部１６は、より具体的には、図７〜８に示すように、底部７１の両側（左右方向で見た両側）で保持片部７２，７２を上方に向けて対向状態で突設した構成を有しており、該両保持片部７２，７２の下側部分の円弧状内面７３，７３と前記底部７１の円弧状上面７５とによって、上端開放のＣ字状の保持溝１５が形成されている。そして、該保持溝１５に前記被保持部９が着脱可能の嵌入状態に収容された状態で、図８に示すように、前記左右の保持片部７２，７２が該被保持部９を左右から弾性的に挾持し、弾性挾持状態で保持された被保持部９は、窄まった状態にある前記上端開放部７０に規制されて該保持溝１５から脱出することがない。本実施例においては図７〜８に示すように、前記保持片部７２，７２の外面７６，７６の周方向中央部に円弧状突部としての補強突部７７，７７が設けられている。該補強突部７７，７７は、前記保持片部７２，７２の弾性拡開に対する抵抗力を増大し、該Ｃ字状保持部１６による被保持部９の保持力を強化するので、前記被保持部９を該両保持片部７２，７２で、より強固に挾持できる。なお前記左右の保持片部７２，７２の上端部分には、図７〜８に示すように、前記被保持部９を前記保持溝１５内に容易に収容させるためのガイド片部７９，７９が外方に屈曲形成されている。そして図７に示すように、前記Ｃ字状保持部１６の前記底部７１の前後方向の両側で挾持突片８０，８０が下方に突設されており、該両挾持突片８０，８０の下側部分は、円板状の連結片部８１，８１に形成されている。
【００２６】
そして該両挾持突片８０，８０の該連結片部８１，８１が、図７、図１１に示すように、重なり状態にある前記両連結板部６３，６３をその両側から密接に挾む如くなされ、該両挾持突片８０，８０には、前記枢着孔６５，６５と連通し得る枢着孔８２，８２が同心に設けられている。又、該両連結片部８１，８１の外面６６，６６には、該枢着孔６５，６５と同心に円形収容凹部６７，６７が設けられており、該円形収容凹部６７，６７には夫々、図１１に示すように、枢軸支持環６９が嵌め入れられる。
【００２７】
然して図１１に示すように、前記枢軸支持環６９を前記円形収容凹部６７に嵌め入れた後、連通状態にある枢着孔６５，６５、８２，８２と該枢軸支持環６９，６９の挿通孔８３，８３に、例えば、頭部８５付きのリベット８６の枢軸８７を挿通し、該枢軸８７の先端部８８（図７）を、図１１で符号８９に示すようにかしめる。これにより、両連結板部６３，６３と両連結片部８１，８１とが該枢軸８７を介して枢着されることになる。その結果、前記重なり状態にある連結板部６３，６３相互が、該枢軸８７の軸線回りに回動することにより、左右の連結部材５，５が該枢軸８７を介して開閉可能となる。又前記連結片部８１，８１が、該枢軸８７の軸線回りに回動することにより、前記保持部材１０が該枢軸８７の軸線回りに傾動可能となる。なお該枢軸８７は、ボルト等の他の枢軸部材を用いて構成されることもある。
【００２８】
又、本実施例においては、前記両連結部材５，５の最大開き角度を一定に規制するために、図７〜８に示すように、前記左の連結部材５ａの前記連結板部６３ａの、前記前後方向Ｆ２で見た外側部分の右に位置させて、前記後の挾持突片８０ａの左側の円形状側面９０と当接し得る四分割円形状の当接面９１を有する係合突部９２が設けられる一方、前記右の連結部材５ｂの前記連結板部６３ｂの、前記前後方向Ｆ２で見た外側部分の左に位置させて、前記前の挾持突片８０ｂの右側の円弧状側面９３と当接し得る四分割円形状の当接面９５を有する係合突部９６が設けられている。その結果、図１１に示すように重なり状態にある連結板部６３ａ，６３ｂ相互が、前記枢軸８７の軸線回りに回動したときのその最大開き角度は、図８に示すように、前記係合突部９２，９６の上端９７，９９が前記挾持突片８０ａ，８０ｂの上側部分の左右の垂直側面９４，９８と係合することによって一定に規制される。例えば、３５度程度に規制される。なお図８においては、上端９７と垂直側面９４との係合状態が示されているが、上端９９と垂直側面９８との係合も同様に行なわれる。
【００２９】
次に、図１２〜１３に基づいて、左右何れかの連結部材（例えば右側の連結部材５ｂ）５に前記支柱３の上部分４を連結する要領の一例を説明する。先ず、他方の連結部材（左側の連結部材５ａ）５と前記保持部材１０を一方の手で握った状態で、他方の手で支柱３を握り、図１２に一点鎖線で示すように、該支柱３の上部分４を前記上下の保持片４０，４１間に前記横方向に挿通させる。その後、図１２に矢印Ｆ３で示すように、該支柱３を、その上端１００が前記上の保持片４０側に近付く方向に回動させる。この回動は、該上部分４の上側部分１０１が前記上の保持片４０の例えば下端縁１０２に支持された状態にして行うことができ、これにより図１２に示すように、該上部分４の下側部分１０３が前記開口部５０の上側開口部分（拡大する部分）５２に当接した状態となし得る。この状態で、前記支柱３を矢印Ｆ３方向に更に回動させると、図１２に二点鎖線で示し、又図１３に示すように、前記下端縁１０２を支点とする梃子作用によって、該上部分４の下側部分１０３を、前記開口部５０を弾性的に拡開させながら該開口部５０を通して、図３、図１４に示すように、前記筒状挾持部４７内に嵌め入れることができる。この状態で、前記上端キャップ２９は、図１４に示すように、前記基部６と前記上の保持片４０間の間隙４３に位置した状態となる。
【００３０】
このように、支柱３の上部分４が前記筒状挾持部４７に弾性的に挾持された状態（図３、図１０）となると共に、該上部分４の前後方向の他方側５３が図９に示すように、前記上の保持片４０によって支持された状態となること、又、図１５に示すように、前記基部６の下面側１０５が該支柱３の上端（本実施例においては、前記上端キャップ２９の上端）１００に当接状態となって該支柱３が前記連結部材５に対して上方向に移動するのが阻止されることによって、該支柱３は、該連結部材５に安定状態に連結されることになる。特に本実施例においては、図１４に示すように、前記上端キャップ２９の下端１０７（図５（Ｃ））が前記上の保持片４０の上端１０９に当接することによって、該支柱３が前記連結部材５の下方に抜けるのも阻止される。
【００３１】
このように、支柱３の上部分４に、該支柱３の外径よりも大なる外径を有する上端キャップ２９が取り付けられていても、該上端キャップ２９（前記上部分４）を、前記基部６と前記上の保持片４０間の間隙４３に位置した状態となし得るため、該上部分４を前記連結部材５に無理なく取り付けることができる。又、支柱３の外径に一定範囲で大小があっても該支柱３の上部分４を、前記開口部５０を弾性的に拡開させながら該筒状挾持部４７内に嵌め入れることができる。このように本発明によるときは、特許文献１が開示する開閉式支柱におけるように、径が定まった挿入孔部に支柱の上部分を挿入するのとは異なり、ある程度の融通性を以て支柱３の上部分４を連結部材５，５に連結できる利点がある。
【００３２】
このようにして構成された開閉式支柱２の複数本（例えば３本）を用いて、家庭菜園で、例えば胡瓜を栽培するための支柱枠体１１０を構成するに際しては、例えば図１に示すように、畝幅が７０ｃｍの畝１１１の長さ方向に、両支柱３，３を所要角度に開いた開閉式支柱２を、約７０〜９０ｃｍ、例えば８０ｃｍの間隔で立設状態に配設する。該支柱３，３の開き角度は、両支柱の下端部分１１２，１１２を前記畝１１１の両側面１１３，１１３に沿って、地面１１５に例えば２５ｃｍ程度突き刺せる程度に設定する。本実施例においては、支柱長さが１８０ｃｍ程度であるため、両支柱３，３の開き角度は、前記最大開き角度３５度程度である。
【００３３】
このようにして開閉式支柱２の複数本を立設状態に並設して後、図１、図８に示すように、前記横連結杆７の被保持部９を、前記保持部材１０が形成する前記保持溝１５に押し込む。該横連結杆７としては、例えば、その外径が１６〜２０ｍｍのものを用いることができる。
【００３４】
このように支柱枠体１１０を構成した後、図１に示すように、該支柱枠体１１０の傾斜外面１１６，１１６を植物栽培用のネット材５６で覆う。この際、該ネット材５６の上端縁部５７を、図２に示すように前記フック状掛着片５９に掛着する。これにより、傾斜ネット面１１７，１１７を具える例えば胡瓜棚１１９，１１９を形成できる。
【００３５】
このように構成した開閉式支柱２は、その使用時期が終わった後は、前記と逆の操作によって支柱３，３を前記連結部材５，５から取り外すことができ、取り外した支柱は他の用途に使用できる。
【実施例２】
【００３６】
本発明は、前記実施例で示したものに限定されるものでは決してなく、「特許請求の範囲」の記載内で種々の設計変更が可能であることはいうまでもない。その一例を挙げれば次のようである。
【００３７】
(1) 前記実施例においては、前記下方突出支持片３６の剛性を向上させるために、その上側部分８０（図７）の横断面が円弧状に構成されているが、該下方突出支持片３６の全体を平板状に構成してもよい。
【００３８】
(2) 前記実施例においては、左右の上の保持片４０，４０が、湾曲方向を逆にして構成されており、又、左右の下の保持片４１，４１も、湾曲方向を逆にして構成されているが、これらは、同一方向に湾曲する如く構成されてもよい。なお、このように、湾曲方向を逆にして構成するときは、前記左右の連結部材５，５を、１種類の金型を用いて射出成形できる利点がある。
【００３９】
(3) 前記実施例においては、下の保持片４１と前記下方突出支持片３６の下側部分４５（図１０）とで、断面Ｃ字状の筒状挾持部４７が形成される如く構成されると共に、上の保持片４０は、支柱３の上部分４を支持する断面Ｕ字状に構成されているが、これとは逆に、図１６に示すように、上の保持片４０と前記下方突出支持片３６の上側部分１２０とで、支柱３の上部分４を弾性的に挾持し得る断面Ｃ字状の筒状挾持部４７が形成される如く構成すると共に、下の保持片４１を、前記支柱３の上部分４を支持する断面Ｕ字状を呈するものとして構成することもできる。
【００４０】
(4) 本発明において、図９に示す上の保持片４０や図１６に示す下の保持片４１は、前記のような断面Ｕ字状に構成されることの他、前記支柱３の上部分４を弾性的に挾持し得る断面Ｃ字状の筒状挾持部として構成されることもある。
【００４１】
又、図９に示す上の保持片４０や図１６に示す下の保持片４１は、前記支柱３の上部分４を単に支持するものであればよく、平板状に構成されることもある。
【００４２】
(5) 前記保持部材１０は、前記実施例で示したように傾動可能に構成されることの他、傾動しない固定状態で前記基部６に設けられることもある。又、該保持部材１０は、左右の基部６，６の夫々に一つずつ設けられることもある。
【００４３】
(6) 図１７〜１８は、本発明に係る連結具１の他の実施例を示すものであり、左右一対の支柱３，３の上部分４，４に夫々固定される左右の連結部材５，５の基部６，６相互が、該一対の支柱３，３が開閉可能となるように連結されており、該左右一対の支柱３，３を開閉可能に連結する構成が前記実施例におけるものと相違している。
【００４４】
このように開閉可能とするために、前記基部６，６の、左右方向Ｆ１で見た内側部位３３，３３で、連結片１０４，１０４を上方に突設すると共に、該連結片１０４，１０４の上端を、前記保持部材１０の底部７１の下面の両側（左右両側）に一体に連結した構成を有している。これにより、前記一対の連結部材５，５は、該連結片１０４，１０４からなる連結部１１の屈曲作用によって、図１８に示すように左右方向Ｆ１で開閉可能である。そして、該保持部材１０は、該連結部１１の上側に存する。
【００４５】
然して、左右の連結部材５，５に左右の支柱３，３を前記と同様の要領により連結すると、該一対の支柱３，３は、前記連結片１０４，１０４の屈曲作用によって左右方向Ｆ１で開閉可能となる。
【００４６】
(7) 前記支柱３が前記したような上端キャップ２９を具えない場合は、図１９に示すように、前記実施例で示した上の保持片４０、即ち、前記支柱３の上部分４の、前記一方の縁部３７側の部分５３（図９）を支持する上の保持片４０が、前記基部６と一体に設けられ、基部６と前記上の保持片４０との間の前記間隙４３が省略されることがある。該上の保持片３９は、前記と同様の筒状挾持部４６を形成するものであってもよい。
【００４７】
(8) 本発明に係る連結具１は、前記保持部材１０を有さない場合がある。この場合は図２０に示すように、左右一対の支柱３，３は開閉可能に構成されるだけである。かかる構成を有する開閉式支柱２の複数本を用いて、例えば図２１に示すように、胡瓜を栽培するための支柱枠体１１０を構成するに際しては、該開閉式支柱２を左右の支柱３，３の開き角度を所要に設定して該開閉式支柱２を所要間隔を置いて地面に立設状態とする。その後、並設状態にある支柱並列部１２１，１２１に関し、支柱相互を横連結杆７で連結することにより支柱枠体１１０を構成できる。横連結杆７と支柱３との固定は、パッカーやバンド等を用いて適宜行うことができる。その後、前記と同様にして支柱並列部１２１，１２１の夫々の傾斜外面をネット材５６で覆うことにより傾斜ネット面１１７，１１７を具える胡瓜棚１１９，１１９を形成できる。
【００４８】
(9) 前記フック状掛着片５９は省略されることもある。
【００４９】
(10)本発明に係る連結具１は、両連結部材５，５の開き角度を規制する手段を具えないこともある。
【００５０】
(11)本発明に係る連結具１の左右の連結部材５，５には、図５に示す支柱３の他、図１９や図２２に示す支柱３を固定することもできる。図１９に示す支柱３は、外周面１２２に、その長さ方向の全長に亘って、突部１２３を不連続状態に連ねた不連続突部列１２５が設けられている。このように不連続突部列１２５が設けられていても、前記筒状挾持部４７の弾性拡開によって、該支柱の上部分４を図１９に示すように該筒状挾持部４７内に嵌め入れることができる。又、図２２に示す支柱３は、外周面１２６に、その長さ方向に所要間隔で節部１２７が設けられていて、該節部１２７が支柱の上部分４にも存している。このように節部１２７が設けられていても、前記筒状挾持部４７の弾性拡開によって、該支柱の上部分４を該筒状挾持部４７内に嵌め入れることができる。
【００５１】
(12)前記基部６は、前記した平板状を呈するものには限らない。
【００５２】
(13)図２３は、該基部６の夫々の、前記開閉方向で見た外側部位１２８に、前記支柱３の上端部分１２９の、前記開閉方向Ｆ１で見た外側部分１３０を支持する受部１３１が設けられた場合を示している。このように構成するときは、前記基部６の下面側１０５に前記支柱３の上端１０６が当接した状態における支柱３の上端部分１２９の動きをより確実に阻止でき、該上端部分１２９の安定性向上を図ることができて好ましい。
【００５３】
(14)図２４〜２７は、本発明に係る連結具１のその他の実施例を示すものであり、図２〜４に係る連結具と相違する点は、左右の連結部材５，５の基部６，６相互を開閉可能とする連結構造にある。該連結具１においては、該連結部材５，５相互が、支柱３，３が閉じた状態で前後方向で重なるようになされている。そのために、該左右の連結部材５，５の基部６，６の上面側６０，６０で突設された連結突片６１，６２相互が前後方向で重なる状態となされている。そして前記保持部材１０のＣ字状保持部１６の底部７１の前後方向の両側で下方に突設された両挾持突片８０，８０が、重なり状態にある前記両連結突片６１，６２を外側から挾み、該両挾持突片８０，８０と該両連結突片６１，６２の全体が、軸線が前後方向の枢軸８７で連結されており、該枢軸８７を介して、一対の支柱３，３が開閉可能とされている。そして、前記保持部材１０が該枢軸８７の軸線回りに傾動可能である。図２４は、両支柱３，３が開いた状態を示している。かかる連結構成を採用するときは、前記保持部材１０のＣ字状保持部１６が有する保持溝１５の長さを、前記実施例で示した場合に比し、より長く設定することが可能であるため、前記横連結杆７（図２４）の長さ方向の所要部分としての被保持部９をより安定的に保持できることになる。
【００５４】
そして、本実施例に係る連結具１を構成する前記左右の連結部材５，５の夫々は、図２５〜２７に示すように該連結部材５，５が閉じた状態で見て、前記基部６，６の、前記開閉方向で見た内側部位３３，３３で下方向（縦方向）に突設されて支柱３の内側の側部分３５（図１０）を支持する下方突出支持片３６を具え、該下方突出支持片３６の前後の縁部の何れか一方の縁部（例えば前の側部）３７に関し、その上側部分に位置させて上の保持片４０が設けられると共に、他方の縁部３９に関し、その下側部分に位置させて下の保持片４１が設けられている構成は前記実施例における場合と同様である。そして該上下の保持片４０，４１は、前記したと同様の各種の構成を採用できるものである。
【００５５】
図２４は、前記連結具１を用いて構成された開閉式支柱２を用いて構成された胡瓜棚１１９，１１９を示すものである。
【００５６】
(15)前記フック状掛着片５９は、前記筒状挾持部４７を構成する、下の保持片４１（図７）又は上の保持片４０（図１６）の外面に設けられることもある。
【００５７】
(16)前記実施例においては、前記フック状掛着片５９が上下の保持片４０，４１の外面に設けられている。前記フック状掛着片５９をこのように設けた場合は、例えば図１、図２に示すように、上端縁部５７を該フック状掛着片５９に掛着させることによってネット材５６を支柱枠体１１０に取り付けた状態で、実の成る植物を栽培したとき、実の重量が大きい場合は、図２８に示すように該フック状掛着片５９に大きな荷重Ｆが下向きに加わるため、例えば図２８に示すように、フック状掛着片５９を支持する上の保持片４０の先側部分１３２が下向きに捩じれ状態に変形して上下の保持片４０，４１による支柱の上部分４の支持状態が不安定化する恐れがある。
【００５８】
そこで図２９〜３１、図３２〜３３、図３４、図３５においては、前記フック状掛着片５９を、これに下向きの荷重が加わったときにも前記上下の保持片４０，４１の変形を招かない部位に設けることとしている。図２９〜３１においては、前記基部６の上面側６０に設けている。本実施例においては、該フック状掛着片５９の強度向上を図るために、前記連結突片６２，６２の左右方向の傾斜外面１３３，１３３と向き合う状態で設けられており、下端部１３４が基部６の上面側６０の先側部分１３５に固定され、その上側部分１３６は該傾斜外面１３３に向けて上方向に円弧状に屈曲しており、該上側部分１３６の先端１３７と前記傾斜外面１３３との間に、前記ネット材５６の上端縁部５７を導入させるための導入口１３９が設けられている。
【００５９】
このように構成する場合は、図３１に示すように、該上端縁部５７を該フック状掛着片５９に掛着させてネット材５６を支柱枠体１１０に取り付け、実の成る植物を栽培したとき、実の重量が大であってフック状掛着片５９に大きな荷重が下向きに加わるとき（このとき上端縁部５７は、例えば図３１に一点鎖線で示すように変形する）も、上下の保持片４０，４１を前記のように捩じれ変形させて該保持片４０，４１を開き傾向とすることがない。従って、上下の保持片４０，４１による支柱の上部分４の保持が不安定化する恐れがない。
【００６０】
図３２〜３３は、フック状掛着片５９を、前記下方突出支持片３６，３６の前後の縁部３７，３９に設けた場合を示している。該フック状掛着片５９は、前後の縁部３７，３９の上下方向の任意部位に設けることができる。特に図３２に示すように、前記上の保持片４０が連設される縁部（前の縁部）３７に設ける場合は、該フック状掛着片５９が比較的大きく形成される場合であっても、図１３に示すように支柱３を回動させて支柱の上部分４を連結部材５に連結する際、該フック状掛着片５９が該連結の障害となる恐れがない。又、該フック状掛着片５９は、前記下方突出支持片３６の下端に設けることもできる。
【００６１】
図３４は、図２５に示す場合において、基部６の側部１４３にフック状掛着片５９を設けた場合を示している。
【００６２】
図３５は、図２３に示す場合において、支柱３の上端部分１４１を支持する受部１４２の外面１４５にフック状掛着片５９を設けた場合を示している。
【００６３】
(17)本発明によって構成された開閉式支柱２を用いて支柱枠体１１０を構成して植物を栽培する場合、該支柱枠体１１０にネット材５６を取り付けるときは、胡瓜やゴーヤ、豆類、葡萄、朝顔、クレマチス等の各種の蔓性植物を栽培する栽培面を形成できるが、該ネット材５６を取り付けないで、支柱２そのものでトマトやピーマン、ナス等を支持して栽培することもできる。
【符号の説明】
【００６４】
１  連結具
２  開閉式支柱
３  支柱
４  上部分
５  連結部材
６  基部
７  横連結杆
９  被保持部
１０  保持部材
１１  連結部
１６  Ｃ字状保持部
３６  下方突出支持片
３７  前の縁部
３９  後の縁部
４０  上の保持片
４１  下の保持片
４２  間隙
４３  間隙
４５  下方突出支持片の下側部分
４６  上部分の、他方の縁部側の部分
４７  筒状挾持部
５０  開口部
５１  下側開口部分
５２  上側開口部分
５３  上部分の、一方の縁部側の部分
５９  フック状掛着片
１１０  支柱枠体
【要約】 
【課題】手持ちの支柱を有効活用して所望の開閉式支柱を安価に構成できる、植物栽培用の開閉式支柱構成用の支柱相互の連結具を提供する。
【解決手段】左右一対の支柱３，３の上部分に夫々固定される左右の連結部材５，５の基部６，６相互が、一対の支柱３，３が開閉可能となるように連結されている。基部６に、横連結杆７の所要部分を着脱可能に保持する保持部材１０が傾動可能に設けられている。左右の連結部材５，５の夫々は、下方突出支持片３６の前の縁部３７に上の保持片４０が、後の縁部３９に下の保持片４１が、上下所要間隙４２を置いて設けられている。下の保持片４１は、支柱３の上部分を弾性的に挾持し得る筒状挾持部４７を有する。
【選択図】図６【図１】
0004815017.tif 000002
【図２】
0004815017.tif 000003
【図３】
0004815017.tif 000004
【図４】
0004815017.tif 000005
【図５】
0004815017.tif 000006
【図６】
0004815017.tif 000007
【図７】
0004815017.tif 000008
【図８】
0004815017.tif 000009
【図９】
0004815017.tif 000010
【図１０】
0004815017.tif 000011
【図１１】
0004815017.tif 000012
【図１２】
0004815017.tif 000013
【図１３】
0004815017.tif 000014
【図１４】
0004815017.tif 000015
【図１５】
0004815017.tif 000016
【図１６】
0004815017.tif 000017
【図１７】
0004815017.tif 000018
【図１８】
0004815017.tif 000019
【図１９】
0004815017.tif 000020
【図２０】
0004815017.tif 000021
【図２１】
0004815017.tif 000022
【図２２】
0004815017.tif 000023
【図２３】
0004815017.tif 000024
【図２４】
0004815017.tif 000025
【図２５】
0004815017.tif 000026
【図２６】
0004815017.tif 000027
【図２７】
0004815017.tif 000028
【図２８】
0004815017.tif 000029
【図２９】
0004815017.tif 000030
【図３０】
0004815017.tif 000031
【図３１】
0004815017.tif 000032
【図３２】
0004815017.tif 000033
【図３３】
0004815017.tif 000034
【図３４】
0004815017.tif 000035
【図３５】
0004815017.tif 000036
【図３６】
0004815017.tif 000037
【図３７】
0004815017.tif 000038
【図３８】
0004815017.tif 000039
【図３９】
0004815017.tif 000040